(57)【要約】【課題】  従来と同程度の保護性能が得られ、然も、雷サージ電圧以外の信号によって三極管型放電管の放電動作が開始されることを防止することが出来る信号線路用避雷器を提供する。【解決手段】  本発明に係る信号線路用避雷器においては、三極管型放電管ＡＳの第１電極ａと第３電極ｃとが第１の抵抗素子Ｒ１を介して互いに接続されると共に、第２電極ｂと第３電極ｃとが第２の抵抗素子Ｒ２を介して互いに接続されており、第２の抵抗素子Ｒ２の両端には容量素子Ｃが接続されている。該容量素子Ｃは、そのインピーダンスが一対の信号線路から入力される信号の周波数では第２の抵抗素子Ｒ２に比べて大きく、且つ雷サージ電圧の周波数及び雷サージ電流の周波数では第１及び第２の抵抗素子Ｒ１、Ｒ２に比べて小さくなる静電容量を有している。【選択図】      図１
2006254597.tif 000002
【特許請求の範囲】
【請求項１】
一対の信号線路に接続されるべき一対の入力端子と電子機器が接続されるべき一対の出力端子とを具え、一対の入力端子から一対の出力端子に伸びる一対の直列線路の間に三極管型放電管が介在しており、該放電管の第１電極が一方の直列線路に接続されると共に第２電極が他方の直列線路に接続され、第３電極がグランド端子に接続されている信号線路用避雷器において、三極管型放電管の第１電極と第３電極とが抵抗素子を含む第１のインピーダンス回路を介して互いに接続されると共に、第２電極と第３電極とが抵抗素子を含む第２のインピーダンス回路を介して互いに接続されており、第２のインピーダンス回路の両端には容量素子が接続され、該容量素子は、そのインピーダンスが一対の信号線路から入力される信号の周波数では第２のインピーダンス回路に比べて大きく、且つ雷サージ電圧の周波数及び雷サージ電流の周波数では第１のインピーダンス回路及び第２のインピーダンス回路に比べて小さくなる静電容量を有していることを特徴とする信号線路用避雷器。
【請求項２】
前記第１のインピーダンス回路及び前記第２のインピーダンス回路はそれぞれ抵抗素子から構成され、第１のインピーダンス回路は、第２のインピーダンス回路と同じ抵抗値或いは第２のインピーダンス回路よりも大きな抵抗値を有している請求項１に記載の信号線路用避雷器。
【発明の詳細な説明】
【技術分野】
【０００１】
本発明は、一対の信号線路と該一対の信号線路を流れる信号が入力されるべき電子機器との間に設けられ、一対の信号線路に発生する雷サージ電圧から該電子機器を保護する信号線路用避雷器に関するものである。
【背景技術】
【０００２】
従来、ＡＤＳＬ回線に発生する雷サージ電圧からモデム等の通信機器を保護すべく、ＡＤＳＬ回線と通信機器との間に避雷器が設けられている。
高速回線であるＡＤＳＬ回線においては、信号の減衰や反射が起こりやすいため、線間の静電容量が小さいことが要求される。そこで、サージ吸収素子として、静電容量の小さいサージ防護用サイリスタを具えた避雷器が知られている。
図４は、３つのサージ防護用サイリスタを具えた避雷器を表わしており、図示の如く、ＡＤＳＬ回線から入力される信号が通過すべき一対の直列線路Ｌ１、Ｌ２及び接地線Ｇが３つのサイリスタＳ１、Ｓ２、Ｓ３を介して互いに連結されている。該避雷器においては、２本の線路間に発生した雷サージ電圧Ｖ１、Ｖ２、Ｖ３はそれぞれ、各線路間に介在するサイリスタＳ１、Ｓ２、Ｓ３によって吸収される。
しかしながら、市販されているサージ防護用サイリスタのサージ耐量は、８／２０μｓの波形表示で表わされる図６に示す標準雷サージ電流に対して４００Ａ程度であり、５ｋＡ程度のサージ耐量が要求されるＡＤＳＬ回線用の避雷器においては、サージ耐量が不足している問題があった。
【０００３】
そこで、サージ吸収素子として、サイリスタよりもサージ耐量の大きい不活性ガス封入型アレスタを具えた避雷器が知られている。
図５は、三極の不活性ガス封入型アレスタを具えた避雷器を表わしており、図示の如く、ＡＤＳＬ回線から入力される信号が通過すべき一対の直列線路Ｌ１、Ｌ２の間に、三極不活性ガス封入型アレスタＡＳが介在し、該アレスタＡＳの第１電極ａ及び第２電極ｂがそれぞれ一対の直列線路Ｌ１、Ｌ２に接続される一方、第３電極ｃが接地線Ｇに接続されている。該避雷器においては、一対の直列線路Ｌ１、Ｌ２の間の電圧Ｖ１、一方の直列線路Ｌ１と接地線Ｇとの間の電圧Ｖ２、或いは他方の直列線路Ｌ２と接地線Ｇとの間の電圧Ｖ３がアレスタＡＳの動作開始電圧を超えたときに、アレスタＡＳの放電動作が開始される。
【０００４】
尚、出願人は、三極管型放電管を具えた直流電源用避雷器回路を出願中である(特許文献１参照)。
【特許文献１】特願２００４−３５７０７０明細書
【発明の開示】
【発明が解決しようとする課題】
【０００５】
しかしながら、三極不活性ガス封入型アレスタを具えた従来の避雷器においては、後述の問題があった。
受話器を置いている状態では、４２〜５３Ｖの直流電圧がＡＤＳＬ回線に印加されているのであるが、受話器を上げて呼出信号を伝送している状態では、更に１５〜２０Ｈｚの周波数を有する６５〜８３Ｖｒｍｓの交流電圧が印加されることとなり、最大で１７０Ｖの電圧が印加されることとなる。そこで、従来の避雷器においては、市販の三極不活性ガス封入型アレスタの内、前記最大電圧との差が最も小さい２３０Ｖの動作開始電圧を有するアレスタが採用されているのであるが、アレスタの動作開始電圧は許容差が±２０％であると共に放電動作の実行回数が増大するにつれて変動するため、呼出信号によってアレスタの放電動作が開始される虞がある問題があった。
動作開始電圧が２３０Ｖの次に高い３５０Ｖのアレスタを採用すれば、上記問題を解決することが出来るが、動作開始電圧の上昇に伴なって制限電圧が高くなり、雷サージ電圧からの保護性能が低下することになる。
本発明の目的は、従来と同程度の保護性能が得られ、然も、雷サージ電圧以外の信号によって三極管型放電管の放電動作が開始されることを防止することが出来る信号線路用避雷器を提供することである。
【課題を解決するための手段】
【０００６】
本発明に係る信号線路用避雷器は、一対の信号線路に接続されるべき一対の入力端子と電子機器が接続されるべき一対の出力端子とを具え、一対の入力端子から一対の出力端子に伸びる一対の直列線路の間に三極管型放電管が介在しており、該放電管の第１電極が一方の直列線路に接続されると共に第２電極が他方の直列線路に接続され、第３電極がグランド端子に接続されている。そして、三極管型放電管の第１電極と第３電極とが抵抗素子を含む第１のインピーダンス回路を介して互いに接続されると共に、第２電極と第３電極とが抵抗素子を含む第２のインピーダンス回路を介して互いに接続されており、第２のインピーダンス回路の両端には容量素子が接続され、該容量素子は、そのインピーダンスが一対の信号線路から入力される信号の周波数では第２のインピーダンス回路に比べて大きく、且つ雷サージ電圧の周波数及び雷サージ電流の周波数では第１のインピーダンス回路及び第２のインピーダンス回路に比べて小さくなる静電容量を有している。
【０００７】
上記本発明に係る信号線路用避雷器を、例えばＡＤＳＬ回線用の避雷器に実施した場合、前記容量素子のインピーダンスは、ＡＤＳＬ回線から入力される呼出信号の周波数２０Ｈｚでは第２のインピーダンス回路の例えば１０倍以上と十分に大きくなるので、第２のインピーダンス回路と容量素子との関係では該容量素子を無視することが出来る。従って、三極管型放電管の第１電極と第３電極の間の電圧Ｖ１は、一対の直列線路間の電圧をＶ、第１のインピーダンス回路と第２のインピーダンス回路のインピーダンスの比をｍ：ｎとして、下記数１によって表わされる。
【０００８】
（数１）
Ｖ１＝{ｍ／(ｍ＋ｎ)}・Ｖ
【０００９】
そして、三極管型放電管の第１電極と第３電極の間の動作開始電圧をＶｓとすると、三極管型放電管が放電動作を開始するためには、第１電極及び第３電極の間の電圧Ｖ１と該動作開始電圧Ｖｓとの間に次の関係式が成り立つことが必要である。
（数２）
Ｖ１≧Ｖｓ
【００１０】
上記の数１及び数２から、一対の直列線路間の電圧Ｖと動作開始電圧Ｖｓとの間に次の関係式が得られる。
（数３）
Ｖ≧{(ｍ＋ｎ)／ｍ}・Ｖｓ
【００１１】
上記数３は、呼出信号の伝送時には、一対の直列線路間の電圧Ｖが三極管型放電管の動作開始電圧Ｖｓの{(ｍ＋ｎ)／ｍ}倍の値を超えたときに、三極管型放電管の放電動作が開始されることを表わしている。
【００１２】
一方、雷サージ電圧の周波数及び雷サージ電流の周波数は１０ｋＨｚを上回り、前記容量素子のインピーダンスは、該周波数では第２のインピーダンス回路の例えば１／１０以下と十分に小さくなるので、第２のインピーダンス回路と容量素子との関係では第２のインピーダンス回路を無視することが出来る。又、前記容量素子のインピーダンスは、雷サージ電圧の周波数及び雷サージ電流の周波数では第１のインピーダンス回路に比べて十分に小さくなるので、第１のインピーダンス回路と容量素子との関係では該容量素子を無視することが出来る。従って、三極管型放電管の第１電極と第３電極の間の電圧Ｖ１は、一対の直列線路間の電圧Ｖと略等しくなり、一対の直列線路間の電圧Ｖと三極管型放電管の前記動作開始電圧Ｖｓとの間には次の関係式が成り立つ。
（数４）
Ｖ≧Ｖｓ
【００１３】
上記数４は、雷サージ電圧の発生時には、一対の直列線路間の電圧Ｖが動作開始電圧Ｖｓを超えたときに、三極管型放電管の放電動作が開始されることを表わしている。
【００１４】
上述の如く、三極管型放電管の放電開始電圧は、呼出信号に対しては三極管型放電管の動作開始電圧Ｖｓの{(ｍ＋ｎ)／ｍ}倍の値となり、雷サージ電圧及び雷サージ電流に対しては三極管型放電管の動作開始電圧Ｖｓとなる。従って、従来と同じ動作開始電圧を有する三極管型放電管を採用すれば、従来と同レベルの保護性能を得ることが出来、然も、呼出信号に対する放電開始電圧は該動作開始電圧よりも大きな値となるので、呼出信号によって三極管型放電管の放電動作が開始されることを防止することが出来る。
【００１５】
具体的には、前記第１のインピーダンス回路及び前記第２のインピーダンス回路はそれぞれ抵抗素子から構成され、第１のインピーダンス回路は、第２のインピーダンス回路と同じ抵抗値或いは第２のインピーダンス回路よりも大きな抵抗値を有している。
【００１６】
第１のインピーダンス回路が第２のインピーダンス回路よりも小さな抵抗値を有している場合には、三極管型放電管の第１電極と第３電極の間よりも先に第２電極と第３電極の間で放電が開始されて、雷サージ電流は、三極管型放電管の第２電極及び第３電極を経て第１のインピーダンス回路に流れ込もうとする。この雷サージ電流は大きいことが望ましいが、第１のインピーダンス回路の抵抗値は該インピーダンス回路がＡＤＳＬ回線を流れる信号に悪影響を及ぼすことを防止すると共に漏れ電流を小さく抑えるために大きな値に設定されているため、雷サージ電流が小さくなり、三極管型放電管の動作がスムーズに開始されない虞がある。
これに対し、第１のインピーダンス回路が第２のインピーダンス回路と同じ抵抗値或いは第２のインピーダンス回路よりも大きな抵抗値を有している場合には、三極管型放電管の第１電極と第３電極の間で放電が開始されたとき、雷サージ電流の周波数及び雷サージ電圧の周波数では容量素子のインピーダンスは第２のインピーダンス回路に比べて十分に小さくなるので、雷サージ電流は三極管型放電管の第１電極及び第３電極を経て容量素子に流れ込むこととなり、雷サージ電流が小さくなることはない。従って、三極管型放電管の動作がスムーズに開始される。
そこで、第１のインピーダンス回路の抵抗値は、第２のインピーダンス回路と同じ値或いは第２のインピーダンス回路よりも大きな値に設定される。
【発明の効果】
【００１７】
本発明に係る信号線路用避雷器によれば、従来と同程度の保護性能が得られ、然も、雷サージ電圧以外の信号によって三極管型放電管の放電動作が開始されることを防止することが出来る。
【発明を実施するための最良の形態】
【００１８】
以下、本発明を、ＡＤＳＬ回線用避雷器に実施した形態につき、図面に沿って具体的に説明する。
本発明に係るＡＤＳＬ回線用避雷器は、図１に示す如く、一対のＡＤＳＬ回線に接続されるべき一対の入力端子(１)(１)と、モデム等の通信機器が接続されるべき一対の出力端子(２)(２)とを具えており、一対の入力端子(１)(１)から一対の出力端子(２)(２)に伸びる一対の直列線路(３)(３)の間には、三極の不活性ガス封入型アレスタＡＳが介在している。該アレスタＡＳの第１電極ａは一方の直列線路(３)に接続されると共に第２電極ｂは他方の直列線路(３)に接続され、第３電極ｃはグランド端子に接続されている。そして、該アレスタＡＳの第１電極ａと第３電極ｃは第１抵抗器Ｒ１を介して互いに接続されると共に、第２電極ｂと第３電極ｃは第２抵抗器Ｒ２を介して互いに接続されており、第２抵抗器Ｒ２の両端には、コンデンサＣが接続されている。
【００１９】
コンデンサＣのインピーダンスをＺ、ＡＤＳＬ回線から入力される呼出信号の周波数をｆ１[Ｈｚ]、雷サージ電流の周波数をｆ２[Ｈｚ]とすると、第１抵抗器Ｒ１の抵抗値ｒ１[ＭΩ]と、第２抵抗器Ｒ２の抵抗値ｒ２[ＭΩ]と、コンデンサＣ１の静電容量ｘ[ｐＦ]との間には、次の関係式が成り立つ。
【００２０】
（数５）
Ｚ＝１／(２π・ｆ１・ｘ)≧１０ｒ２
Ｚ＝１／(２π・ｆ２・ｘ)≦ｒ２／１０
ｒ１＞ｒ２
【００２１】
但し、呼出信号の周波数ｆ１は２０Ｈｚであり、雷サージ電流の周波数ｆ２は、図６に示す標準雷サージ電流の立ち上がり時間(＝８μｓ)を１／４周期として下記数６により算出される。
（数６）
ｆ２＝１／(３２×１０−６)＝３１.２５[ｋＨｚ]
【００２２】
尚、上記数５において、雷サージ電流の周波数ｆ２を雷サージ電圧の周波数ｆ３に置換することが可能であり、該周波数ｆ３は、１.２／５０μｓの波形表示で表わされる標準雷サージ電圧の立ち上がり時間(＝１.２μｓ)を１／４周期として下記数７により算出される。
（数７）
ｆ２＝１／(４.８×１０−６)＝２０８.３[ｋＨｚ]
【００２３】
又、上記２つの抵抗器Ｒ１、Ｒ２の抵抗値ｒ１、ｒ２は、これらの抵抗器がＡＤＳＬ回線を流れる信号に悪影響を及ぼすことを防止すると共に漏れ電流を小さく抑えるために大きな値に設定されている。
上記数５の第３の関係式に示す如く、第１抵抗器Ｒ１の抵抗値ｒ１が第２抵抗器Ｒ２の抵抗値ｒ２よりも大きな値に設定されている理由は次の通りである。
第１抵抗器Ｒ１の抵抗値ｒ１を第２抵抗器Ｒ２の抵抗値ｒ２よりも小さな値に設定した場合には、不活性ガス封入型アレスタＡＳの第１電極ａと第３電極ｃの間よりも先に第２電極ｂと第３電極ｃの間で放電が開始されて、雷サージ電流は、図２に実線及び破線の矢印で示す如く、アレスタＡＳの第２電極ｂ及び第３電極ｃを経て第１抵抗器Ｒ１に流れ込もうとする。この雷サージ電流は大きいことが望ましいが、第１抵抗器Ｒ１の抵抗値ｒ１は上述の如く大きな値に設定されているので、雷サージ電流が小さくなり、アレスタＡＳの動作がスムーズに開始されない虞がある。
これに対し、第１抵抗器Ｒ１の抵抗値ｒ１を第２抵抗器Ｒ２の抵抗値ｒ２よりも大きな値に設定した場合には、不活性ガス封入型アレスタＡＳの第１電極ａと第３電極ｃの間で放電が開始されたとき、後述の如く雷サージ電流の周波数ではコンデンサＣ１のインピーダンスＺは第２抵抗器Ｒ２に比べて十分に小さくなるため、雷サージ電流は、図３に実線の矢印で示す如く、アレスタＡＳの第１電極ａ及び第３電極ｃを経てコンデンサＣに流れ込むこととなり、雷サージ電流が小さくなることはない。従って、アレスタＡＳの動作がスムーズに開始される。
そこで、第１抵抗器Ｒ１の抵抗値ｒ１は第２抵抗器Ｒ２の抵抗値ｒ２よりも大きな値に設定されている。
【００２４】
次に、上記ＡＤＳＬ回線用避雷器の動作について説明する。
図１に示す第２抵抗器Ｒ２の抵抗値ｒ２とコンデンサＣの静電容量ｘとの間には、上記数５の第１の関係式が成り立っており、呼出信号の周波数ｆ１ではコンデンサＣのインピーダンスＺは抵抗器Ｒ２の抵抗値ｒ２の１０倍以上と十分に大きくなるため、第２抵抗器Ｒ２とコンデンサＣとの関係ではコンデンサＣを無視することが出来る。従って、不活性ガス封入型アレスタＡＳの第１電極ａと第３電極ｃの間の電圧Ｖ１は、一対の直列線路(３)(３)間の電圧をＶとして、下記数８によって表わされる。
【００２５】
（数８）
Ｖ１＝{ｒ１／(ｒ１＋ｒ２)}・Ｖ
【００２６】
不活性ガス封入型アレスタＡＳの第１電極ａと第３電極ｃの間、及び第２電極ｂと第３電極ｃの間の動作開始電圧をＶｓとすると、該アレスタＡＳが放電動作を開始するためには、第１電極ａと第３電極ｃの間の電圧Ｖ１と動作開始電圧Ｖｓとの間に次の関係式が成り立つことが必要である。
（数９）
Ｖ１≧Ｖｓ
【００２７】
上記の数８及び数９から、一対の直列線路(３)(３)間の電圧Ｖと動作開始電圧Ｖｓとの間に次の関係式が得られる。
（数１０）
Ｖ≧{(ｒ１＋ｒ２)／ｒ１}・Ｖｓ
【００２８】
上記数１０は、呼出信号の伝送時には、一対の直列線路(３)(３)間の電圧Ｖが不活性ガス封入型アレスタＡＳの動作開始電圧Ｖｓの{(ｒ１＋ｒ２)／ｒ１}倍の値を超えたときに、該アレスタＡＳの放電動作が開始されることを表わしている。
【００２９】
又、第２抵抗器Ｒ２の抵抗値ｒ２とコンデンサＣの静電容量ｘとの間には、上記数５の第２の関係式が成り立っており、雷サージ電流の周波数ｆ２ではコンデンサＣのインピーダンスＺは第２抵抗器Ｒ２の抵抗値ｒ２の１／１０以下と十分に小さくなるため、第２抵抗器Ｒ２とコンデンサＣとの関係では第２抵抗器Ｒ２を無視することが出来る。又、上記数５の第３の関係式に示す如く第１抵抗器Ｒ１の抵抗値ｒ１は第２抵抗器Ｒ２の抵抗値ｒ２よりも大きな値に設定されているので、コンデンサＣ１のインピーダンスＺは、第１抵抗器Ｒ１の抵抗値ｒ１に比べて十分に小さな値となり、第１抵抗器Ｒ１とコンデンサＣとの関係ではコンデンサＣを無視することが出来る。従って、不活性ガス封入型アレスタＡＳの第１電極ａと第３電極ｃの間の電圧Ｖ１は、一対の直列線路(３)(３)間の電圧Ｖと略等しくなり、一対の直列線路間の電圧Ｖと動作開始電圧Ｖｓとの間には次の関係式が成り立つ。
（数１１）
Ｖ≧Ｖｓ
【００３０】
上記数１１は、雷サージ電圧の発生時には、一対の直列線路間の電圧Ｖが不活性ガス封入型アレスタＡＳの動作開始電圧Ｖｓを超えたときに、該アレスタＡＳの放電動作が開始されることを表わしている。
【００３１】
本発明に係るＡＤＳＬ回線用避雷器においては、上述の如く、呼出信号に対する放電開始電圧は、不活性ガス封入型アレスタＡＳが有する動作開始電圧Ｖｓの{(ｒ１＋ｒ２)／ｒ１}倍の値となり、雷サージ電圧に対する放電開始電圧は、アレスタＡＳが有する動作開始電圧Ｖｓとなる。
【００３２】
実施例
市販されている三極不活性ガス封入型アレスタの内、仮に、９０Ｖの動作開始電圧を有するアレスタを採用し、第１抵抗器Ｒ１及び第２抵抗器Ｒ２として同じ抵抗値を有する抵抗器を採用した場合、上記数１０から呼出信号に対する放電開始電圧は１８０Ｖとなるが、上述の如くアレスタの動作開始電圧は許容差が±２０％であると共に放電動作の実行回数が増大するにつれて変動するため、呼出信号によってアレスタの放電動作が開始される虞がある。
そこで、本実施例においては、動作開始電圧が９０Ｖの次に高い２３０Ｖのアレスタが採用されている。
【００３３】
第１抵抗器Ｒ１及び第２抵抗器Ｒ２はそれぞれ９ＭΩ及び１ＭΩの抵抗値を有している。又、第１抵抗器Ｒ１は、アレスタＡＳが放電動作を開始するまでは雷サージ電圧がかかるため、２ｋＶ程度の耐電圧を有している。コンデンサＣは、１００ｐＦの静電容量及び５００Ｖの耐電圧を有している。
【００３４】
本実施例のＡＤＳＬ回線用避雷器において、呼出信号の周波数におけるコンデンサＣのインピーダンスＺを算出すると、該インピーダンスＺは約７９.６ＭΩとなり、第２抵抗器Ｒ２の抵抗値に比べて十分に大きな値となる。そして、上記数１０から呼出信号に対する放電開始電圧を算出すると、該放電開始電圧は約２５６Ｖとなる。
一方、雷サージ電流の周波数におけるコンデンサＣのインピーダンスＺを算出すると、該インピーダンスＺは約５０.９ｋΩとなり、第２抵抗器Ｒ２の抵抗値に比べて十分に小さな値となる。又、雷サージ電圧の周波数におけるコンデンサＣのインピーダンスＺを算出すると、該インピーダンスＺは、約７.７６ｋΩとなり、第２抵抗器Ｒ２の抵抗値に比べて十分に小さな値となる。尚、雷サージ電圧に対する放電開始電圧は、上記数１１から２３０Ｖとなる。
【００３５】
本実施例のＡＤＳＬ回線用避雷器においては、従来のＡＤＳＬ回線用避雷器と同じ２３０Ｖの動作開始電圧を有する不活性ガス封入型アレスタＡＳが採用されているので、従来と同レベルの保護性能を得ることが出来、然も、上述の如く呼出信号に対しては約２５６Ｖと高い放電開始電圧が得られるので、呼出信号によってアレスタＡＳの放電動作が開始されることを防止することが出来る。
又、サージ吸収素子として不活性ガス封入型アレスタＡＳが採用されているので、サイリスタを具えた従来のＡＤＳＬ避雷器に比べて高いサージ耐量を得ることが出来る。
尚、呼出信号に対する放電開始電圧は、第１抵抗器Ｒ１の抵抗値ｒ１と第２抵抗器Ｒ２の抵抗値ｒ２を変えることによって任意の値に変えることが出来る。
【００３６】
本発明の各部構成は上記実施の形態に限らず、特許請求の範囲に記載の技術的範囲内で種々の変形が可能である。
例えば、上記実施の形態においては、本発明をＡＤＳＬ回線用の避雷器に実施しているが、ＨＤＳＬ回線やＶＤＳＬ回線など、ＡＤＳＬ回線以外のｘＤＳＬ回線用の避雷器や、その他の種々の高周波回線用の避雷器に実施することが可能である。
又、上記実施の形態においては、図１に示す如く、アレスタＡＳの第１電極ａと第３電極ｃとを互いに接続する第１インピーダンス回路は第１抵抗器Ｒ１から構成されると共に、第２電極ｂと第３電極ｃとを互いに接続する第２インピーダンス回路は第２抵抗器Ｒ２から構成されているが、これらのインピーダンス回路は、抵抗器とインダクタの組合せ、抵抗器とコンデンサの組合せ、或いは抵抗器とインダクタとコンデンサの組合せから構成することも可能である。
【図面の簡単な説明】
【００３７】
【図１】本発明に係るＡＤＳＬ回線用避雷器の構成を表わす回路図である。
【図２】第１抵抗器の抵抗値が第２抵抗器の抵抗値よりも小さい場合の電流経路を表わす回路図である。
【図３】第１抵抗器の抵抗値が第２抵抗器の抵抗値よりも大きい場合の電流経路を表わす回路図である。
【図４】サイリスタを具えた従来のＡＤＳＬ回線用避雷器の構成を表わす回路図である。
【図５】三極不活性ガス封入型アレスタを具えた従来のＡＤＳＬ回線用避雷器の構成を表わす回路図である。
【図６】標準雷サージ電流の波形を表わす波形図である。
【符号の説明】
【００３８】
(１)  入力端子
(２)  出力端子
(３)  直列線路
ＡＳ  三極不活性ガス封入型アレスタ
Ｒ１  第１抵抗器
Ｒ２  第２抵抗器
Ｃ    コンデンサ
【図１】
2006254597.tif 000003
【図２】
2006254597.tif 000004
【図３】
2006254597.tif 000005
【図４】
2006254597.tif 000006
【図５】
2006254597.tif 000007
【図６】
2006254597.tif 000008